(57)【要約】【課題】押し花を誰にでも負担とならずに容易に作ることができるだけでなく、きれいに美しく押し花を得ることができ、さらに、生花と乾燥マットとを交互に挟んで押し付ける際の荷重を容易に設定することができる押し花装置を提供する。【解決手段】押板と底板との間に乾燥マットとともに生花等を挟んで、前記押板を押圧して押し花を作るための押し花装置は、上面および一方の対向側面が開放した断面コ字形をした保持ケース、この保持ケースの開放した上面中央部に架け渡されて固定された支持板、この支持板の略中央部に設けられかつ支持板とともに貫通する内ねじを有する穴があけられた保持部、この保持部の穴に保持され、上端部に取り付けたハンドルを有し、外面に切られた外ねじと前記保持部の穴の内ねじとの噛み合いにより回転されて上下動する加圧軸、および、この加圧軸に作用するように設けられ、所定荷重で押板を押圧するための板ばね、を有する。そして、ハンドルを回転作動して、加圧軸の押板への板ばねによる押圧荷重を所定荷重に調節することができるようにした。【選択図】      図１
2005036326.tif 000002
【特許請求の範囲】
【請求項１】
押板と底板との間に乾燥マットとともに花等を挟んで、該花等を前記乾燥マットに対して押し付け圧縮するように押板を押圧して押し花を作るための押し花装置であって、
上面および一方の対向側面が開放した断面コ字形をした保持ケース、
該保持ケースの開放した上面中央部に架け渡されて固定された支持板、
該支持板の略中央部に設けられかつ前記支持板とともに貫通する穴があけられた保持部、
該保持部の穴に保持され、上端部に取り付けたハンドルを有し、外面に切られた外ねじと前記保持部の穴の内ネジとの噛み合いにより回転されて上下動する加圧軸、および
該加圧軸に作用するように設けられ、生花を挟んだ乾燥マットの圧縮力として所定荷重で前記押板を押圧するための板ばね、を有し、
前記ハンドルを回転作動して、前記加圧軸の押板への前記板ばねによる押圧荷重を所定荷重に調節することができるようにしたことを特徴とする押し花装置。
【請求項２】
前記保持部が前記穴の中心で分割された板からなり、分割された一方の板が前記支持板に固定され、他方の板が前記支持板に取り付けられたガイドに摺動可能に設けられ、該ガイドには前記可動板を固定するストッパーを有することを特徴とする請求項１に記載された押し花装置。
【請求項３】
前記板ばねが断面コ形をした形状を有し、前記板ばねの両自由端部が前記押板に接触するとともに、前記板ばねの中央部を前記加圧軸の下端部に固定し、そして、前記加圧軸の下端部が固定された前記板ばねの部分の近傍に、板ばねによる圧縮力を表示するための加圧ゲージを備えたことを特徴とする請求項１に記載された押し花装置。
【請求項４】
前記加圧ゲージは、前記板ばねに形成した穴を貫通し前記押し板上に設置される円柱状体からなり、該円柱状体の外面に所定幅のリングが描かれていて、前記所定幅のリングに対する前記板ばねの位置によって、前記押し板に与えられる圧縮力を表示することができるように構成されていることを特徴とする請求項１に記載された押し花装置。
【発明の詳細な説明】
【０００１】
【発明の属する技術分野】
本発明は、押し花を作るための押し花装置に係り、特に、乾燥マットに対して葉、野菜、果物等を含む花を押し付けることによって押し花を作ることができる押し花装置に関する。
【０００２】
【従来の技術】
従来、押し花を作るには、生花等を吸湿紙の間に挟み、その上に重石等を載せて行われていたが、最近では、吸湿のための紙の代わりにＡ４サイズ、１０枚程のガンシン紙にシリカゲル等の吸湿剤をしみこませ、さらにその外側を不織布で巻いてなる押し花専用の乾燥マットが使用されている。
【０００３】
この乾燥マットを使用した場合、乾燥マットの上に和紙を敷き、その上に生花を置いて、更に和紙、乾燥マットを載せて挟み、その周りをさらにビニール袋で包み、その上に重しが載せられる。その際、重しにより生花の縮みを防ぎ、水分の吐き出し行うことができ数日後に押し花が得られる。
【０００４】
【発明が解決しようとする課題】
このように重しは、押し花を作る上では、重要なものであるが、従来、そのために自然の手頃な石を使用するだけでなく、比較的入手しやすい電話帳、アルバム、新聞紙を束ねたものが使用されているが、これらを重しとして使用しても、生花を挟んだマット上に重しを上げ下ろしすることは、手間がかかるだけでなく、手や腰を痛めている人には苦痛となる作業である。
【０００５】
また、押し花にするための材料が多くなると、乾燥マットを１セット６〜８枚組になっているものを何セットも使用し、このような乾燥マットのセットが積み重ねられることになり、必要な重しの量が多くなるだけでなく、乾燥マットと重しの全体の高さが高くなって、積み重ねたものが倒れたり、崩れ落ちたりする恐れがあり、その対処として、部屋の隅に設置して、壁を支えにして、不安定な状態から崩れないようにする必要があつた。
【０００６】
本発明は、上記問題点に鑑みてなされたものであり、押し花を誰にでも負担とならずに容易に作ることができ、きれいに美しく押し花を得ることができるようにした押し花装置を提供することを目的とするものである。
【０００７】
さらに、本発明は、生花と乾燥マットとを交互に挟んで押し付ける際の荷重を容易に設定することができる押し花装置を提供することを他の目的とするものである。
【０００８】
【課題を解決するための手段】
上記第１の目的を達成するために、本発明による押し花装置においては、押板と底板との間に乾燥マットとともに生花等を挟んで、前記押板を押圧して押し花を作るための押し花装置であって、上面および一方の対向側面が開放した断面コ字形をした保持ケース、この保持ケースの開放した上面中央部に架け渡されて固定された支持板、この支持板の略中央部に設けられかつ支持板とともに貫通する内ねじを有する穴があけられた保持部、この保持部の穴に保持され、上端部に取り付けたハンドルを有し、外面に切られた外ねじと前記保持部の穴の内ねじとの噛み合いにより回転されて上下動する加圧軸、およびこの加圧軸に作用するように設けられ、所定荷重で押板を押圧するための板ばね、を有し、ハンドルを回転作動して、加圧軸の押板への板ばねによる押圧荷重を所定荷重に調節することができるようにしたことを特徴とするものである。
【０００９】
このような押し花装置において、保持部が穴の中心で分割される板からなり、分割された一方の板が支持板に固定され、他方の板が支持板に取り付けられたガイドに摺動可能に設けられ、このガイドには他方の板を固定するストッパーが設けられていることを特徴とする。
【００１０】
さらに、上記第２の目的を達成するために、本発明によるにおいては、板ばねが断面コ形をした形状を有し、板ばねの両自由端部が押板に接触するとともに、板ばねの湾曲頂部を加圧軸の下端部に固定し、そして、加圧軸を固定した板ばねの部分の近傍に、板ばねによる押圧荷重を表示するための加圧ゲージが設けられていることを特徴とする。
【００１１】
また、上記押し花装置においては、加圧ゲージは、板ばねに形成した穴を貫通し押し板上に位置された円柱状体からなり、この円柱状体の外面に所定幅のリングが描かれていて、この所定幅のリングに対する板ばねの位置によって、押し板に与えられる押し付け荷重を表示することができるように構成されていることを特徴とする。
【００１２】
【発明の効果】
上記構成によって、本発明による押し花装置は、断面コ字形をした保持ケースの開放した上面中央部に、指示板が架け渡されて固定されていて、この支持板の略中央部に支持板を含めて貫通する穴が空けられた保持部が設けられ、その穴には内ねじが形成され、この保持部の穴に保持され、上端部に取り付けたハンドルを有するとともに、外面に切られた外ねじを有する加圧軸が設けられ、保持部にねじ係合した加圧軸がハンドルにより回転されて上下動することができ、この加圧軸がハンドルの回転により降下されると、取り付けられた板ばねによって押板を押し付けて、所定荷重で押板を押圧することができるので、単にハンドルを回転すれば、加圧軸を上下動させることができ、生花を和紙で挟んでその外側を乾燥マットでさらに挟んだものをビニール袋で包み、保持ケースの底板上に置いて、上から押板を載せて板ばねを介して加圧軸を単にハンドルの回転操作により降下させれば、押圧荷重を所定荷重に調節して押し花にすることができる。
【００１３】
また、このようにして、生花を押し花にする際には、花等の種類や量にもよるが、１日目に生花の水分が乾燥マットにしみ込んで、生花の厚みが薄くなり、同時にビニールに包まれた乾燥マット全体の厚みも薄くなるために、圧縮力が初めに設定したよりも２〜３ｋｇ下がることもあるが、板ばねにより圧縮力は作用したままであるので、押された状態の生花が縮む現象を防ぐことができる。
【００１４】
このような押し花装置において、保持部は、穴の中心で分割される板からなり、分割された一方の板が支持板に固定され、他方の板が支持板に取り付けられたガイドに摺動可能に設けられているので、生花を挟んだ乾燥マットが一組だけで厚みの無い場合には、加圧軸が保持部の穴のねじ係合を解除させることができ、加圧軸をハンドルで回転させることなく、直接押板まで降下させることができ、加圧軸を直接あるいは板ばねを介して押板に接触させた後に、保持部の可動板をストッパーによってガイドに沿って摺動させて固定板に加圧軸のネジ部を挟んで当接させ、ハンドルを回動させることによって加圧軸を降下させ板バネを介して押板を押圧すれば所定の荷重により押し花を得る状態にすることができ、簡単な操作により生花を挟んだ乾燥マットの押し付け作業を達成することができる。
【００１５】
また、保持部の分割された他方の板が、ガイド内を移動させるために、ガイドに形成した長孔内を移動しかつ支持板に形成した窪み穴に係合するストッパーを有しているので、他方の板を移動した際に、他方の板をストッパーによって支持板に固定することができ、一方の板への接触状態で固定される場合には、加圧軸をハンドルの回転作業により押し下げることができ、押板への直接または板ばねを介した押し付け作業が可能である。また、他方の板が一方の板から離脱状態でストッパーにより固定されると、加圧軸は、ハンドルの回転作業による上下動から解放されるので、直接の手作業により上下動させることができ、素早い作業による加圧軸の板ばねを介した押板への押圧、解除作業を行うことができる。
【００１６】
また、板ばねが断面コ形をした形状を有し、板ばねの両自由端部が押板に接触するとともに、板ばねの湾曲頂部を加圧軸の下端部に固定し、押し棒の下端部を固定した板ばねの部分の近傍に、板ばねによる押圧荷重を表示するための加圧ゲージが設けられているので、加圧軸のハンドルによる回転作動によって押板が押し下げられると共に、加圧ゲージによってその荷重が表示されるので、その表示によって、子供から年配者まで所定の荷重、例えば、２５Ｋｇに手軽に設定することができる。その際、その荷重の状態がはっきりと示されるので、確認しながら加圧軸の押し下げ作業を行うことができる。
【００１７】
以上のような構成の押し花装置においては、体積の大きなものを重しとして使用する必要が無いので取扱を楽にさせ、移動の際に場所を選ばず手軽に持ち運ぶことができる。そして、押し花にするための圧縮力が加圧ゲージにより表示されるので、だれにでも、必要とする圧縮力を設定するために荷重の操作を容易に行うことができる。
【００１８】
【発明の実施の形態】
以下、本発明の実施の形態を図面を参照して説明する。
図１は、本発明に一実施の形態による押し花装置の正面図であり、図２は同じ押し花装置の平面図である。これらの図に示される押し花装置は、生花を挟む複数の乾燥マット８の間に中板８２を挟んだものを、シナベニア製の押板１と同材料からなる底板２とによって圧縮力を与えるための装置であり、アルミ製の保持ケース３は、その用途によって寸法が決められるが、一例として図示のものでは略縦横３００ｍｍＸ４００ｍｍ、そして、高さ略２００ｍｍの外形寸法を有するものである。また、保持ケース３は、図１における正面側および裏面側と上面側が開放していて、両側の側板３６、３６の頂部は折り曲げられて頂部屈曲部３３が形成されている。この頂部屈曲部３３のほぼ中央部には、その下側に位置されて平鉄製の支持板４が化粧ナット４２によって取り付けられて固定されている。保持ケース３の底部３８の外側には、４隅の適所にゴム製の台座３２がタッピングビスによって底板２に対して固定保持されるように取り付けられている。また、底板２の正面側と裏面側の端部には、樹脂製の化粧見切縁３４が取り付けられている。
【００１９】
上記保持ケース３に取り付けられた支持板４の略中央部には、押板１を押し付けるための荷重を与える加圧軸６を自由に通す穴が設けられるとと共に、この加圧軸６はネジが切られていて、この加圧軸６を保持するための保持部５が設けられている。この保持部５には、図３（Ａ）および図３（Ｂ）に示されるように、支持板４に接着剤で貼り付けらるととも皿ビス５７によって固定される固定板５３と、固定板５３に対して当接、離脱可能にされるように、支持板４に固定されたガイド５２内を摺動するように設けられた可動板５４とを有している。固定板５３と可動板５４には、当接状態では支持板４の穴と整合して、加圧軸６をねじ込むことができるようにネジ穴を形成するように、それらの対向端部にネジを切った半円状凹部が形成されている。
【００２０】
可動板５４は、図３（Ａ）および図３（Ｂ）に示すように、実線で示す当接状態と、点線で示す離脱状態に移動され、その位置を保持するために、ストッパーとして樹脂製つまみ５８を頭部に有するノックピン５５がガイド５２のほぼ中央部に設けたガイド長孔５６内を軸線方向に移動可能であるとともに、可動板５４とともに移動することができるように設けられている。ノックピン５５の下端部は、可動板５４の固定板５３に対する当接状態と離脱状態に対応した位置にある支持板４に空けられたノックピン受穴４４に挿入されて、その位置を保持することができるように構成されている。
【００２１】
加圧軸６には、その上端部に樹脂製のハンドル６４がロックナットによって固定され、加圧軸６を回動させることができる。また、加圧軸６の下端部には、割ピン６３が直径方向に空けられた穴に通されて設けられ、この割ピン６３に落下を阻止され、上側から平ワッシャーを挟んで割ピン６２によって固定された板バネ７が設けられている。板バネ７は、図１および図４に示すように、断面コ形をした形状にされているが、両端部近くが斜め下方に折り曲げられていて、それらの端部が押板２の上面に接着剤で貼り付け固定されたステンレス製の板バネ受板１２に接触することができるように設けられている。
【００２２】
また、この板バネ７には、図４に示すように、加圧ゲージ９が設けられていて、板バネ７の押し下げにより下方に移動すると、加圧ゲージ９に対する板バネ７の位置で示される荷重が押板１により生花に掛けられる圧縮力を表示することができる。加圧ゲージ９は、板バネ７の水平部の加圧軸６近くに形成した穴に自由に移動し得るように設けられていて、板バネ７の穴よりも大きな直径の頂部９３と台部９４が端部に取り付けられた円柱状体９２からなり、この円柱状体９２には、色違いに彩色された等幅を有する複数のリング９６が圧縮力の表示部として設けられている。このリング９６の最下端部は、図４に示すように、点線で示される位置まで板バネ７が加圧軸６により押し下げられると、押し花に必要な２５ｋｇの荷重が得られることを示している。リング９６の一つは、大体５ｋｇの荷重を表わし、板バネ６が加圧ゲージ９の円柱状体９２に対して位置したリング９６によって上から下ヘと荷重が増していくことを知ることができる。
【００２３】
上記構成の押し花装置は、以下のように操作されて、押し花を得るために使用することができる。
まず、生花を挟んだ乾燥マット８は、押し花専用のものとして、ガンシン紙にシリカゲル等の吸湿材を含浸させて不織布で巻いて作られたものであり、その乾燥マット上に和紙を敷き、その上に押し花となる生花が置かれ、さらにその上に和紙が置かれて別の乾燥マットが生花を挟むように重ねて置かれる。このように生花を挟んだ２つの乾燥マットは、さらに、ビニール袋で包んだものが一組の乾燥マット８として、図１には生花を挟んだセットにされて示されるように準備される。このような一組の乾燥マット８のみでもよいが、図１に示すように３組の乾燥マット８を積み重ねて行う場合には、圧さ５ｍｍ位の固めの紙あるいはベニヤ板のような固めの板状のものを中板８２として挟むと、押板１により押し下げられた場合には、互いに滑ることがなく安定させることができる。
【００２４】
このように複数の積み重ねられた乾燥マット８には、押板１が載せられて、押板１上の板バネ受板１２上のほぼ中央に、板バネ７が位置するように、保持部５における可動板５４に対してストッパーを解除するように、ノックピン５５を持ち上げてノックピン受穴４４から外し、ガイド５２のガイド長孔５６に沿って移動させれば、可動板５４が加圧軸６から離脱して、ねじ係合が解除されるので、ハンドル６４を持って押し下げれば、加圧バネ７を押板１の板バネ受板１２上に直接位置させることができる。このように板バネ７が位置された後、保持部５において可動板５４をガイド５２に沿って固定板５３に当接するように移動させるために、ノックピン５５をガイド５２の長孔５６に沿って移動させれば、当接状態にさせて、ノックピン受穴４４にノックピン５５を押し込んで可動板５４を固定されることができる。両板５３、５４が当接されて、加圧軸６をそこに半円状凹部によって形成されたネジ穴に噛み合せて係合させることができる。
【００２５】
この状態で、ハンドル６４が回転されると、加圧軸６が回動されて、加圧バネ７を押し下げて、押板１を押圧するように、加圧軸を降下させることができる。その際、加圧ゲージ９は、加圧バネ７の水平部が加圧ゲージ９の円柱状体９２に沿って下方に移動して、対応した色違いのリング９６によって５ｋｇ、１０ｋｇ・・・２５ｋｇへと圧縮力を荷重として表示していく。そして、通常、押し花を得る上で適当な２５Ｋｇの圧縮力を与える状態で、図４には、最下方のリング９６に加圧バネ７が達したことを点線で示している。
【００２６】
以上のように、生花の種類や量にもよるが２５ｋｇの荷重で押板１が乾燥マット８に対して圧縮力を与えると、数日後には押し花が得られるが、１日目には生花の水分が乾燥マット８に染み込んで、乾燥マット８の全体の厚みが小さくなって、最初に設定された圧縮力より圧縮力が小さくなることもある。例えば、ひまわりのような厚みのある花を３〜４段分入れて、１０〜１５ｋｇの荷重を与えるように設定して押し付けると、圧縮力は５ｋｇ程度下がる。しかしながら、その分荷重が小さくなっても、依然圧縮力は荷重が掛かった状態にあるために、押された状態の生花は縮むことがなく、その状態を維持することができる。また、バラの花びら等の薄い花の場合には、同じ圧縮力が掛けられても、１〜３Ｋｇの荷重の減少になり、同じように残った荷重により、押し花の収縮を阻止することができる。
【００２７】
上記から明らかなように、圧縮力を与えるための操作は、加圧軸６の上端部のハンドル６４を手で回転させれば、押板１に対して加圧バネ７を介して押し付けるように、保持部５におけるねじ係合による加圧軸６を降下させて行われる。
【００２８】
また、生花を挟み、ビニール袋によって包まれた乾燥マット８のセットを押板１と底板２との間に荷重を掛けるようにセットされると、従来のように体積の大きな重しもなく、この状態で容易に運搬することもできるので、場所を取らずに保管も容易に行うことができる。
【００２９】
さらに、生花が押し花装置において押し花として利用できる状態になったと予測される時間を経過すると、まず、加圧軸６を上方に上げるようにハンドル６４を回動して保持部５のねじ係合部により加圧軸６を上昇させ、加圧バネ７が押板１から離れた状態で、保持部５において、可動板５４の加圧軸６に対するネジ係合を解除するように、ストッパーのノックピン４４の下端部を支持板４に形成したノックピン受穴４４から引出せば、可動板５４を固定板５３から離脱させて、ネジ係合なく加圧軸６をいっきに持ち上げて、押板１の取り出しに邪魔にならないようにし、保持することができる。その際、加圧軸６の持ち上げた状態での保持は、保持部５の可動板５４を固定板５３に当接させた状態にストッパーで固定するだけで行うことができる。
【００３０】
加圧軸６が持ち上げられて保持された後、押板１を取り除き、乾燥マット８を保持ケース３から取り出して、でき上がった押し花を乾燥マット８からピンセットで取り出し、保管袋に入れて保存し、必要なだけ取り出して、葉書に貼り付けたり、シール、キーホルダー、額等に入れて、生活の一部として楽しむことができる。
【００３１】
なお、加圧バネ７は、上記構成においては加圧軸６の端部と押板１との間に設けたが、支持板４と保持ケース３における支持板４の屈曲取付部３３との間に設けて、支持板４および加圧軸６を介して押板１を押すように設けてもよい。その際、加圧ゲージは、支持板４と保持ケース３との間に設け、これらの部材の相対位置関係によって表示されるように設けてもよい。
【図面の簡単な説明】
【図１】本発明の一実施の形態による押し花装置の正面図である。
【図２】本発明の一実施の形態による押し花装置の平面図である。
【図３】図１の押し花装置における加圧軸の保持部を示し、（Ａ）はその平面図、（Ｂ）はその立面図である。
【図４】図１の押し花装置における加圧ゲージの拡大図である。
【符号の説明】
１  押板
２  底板
３  保持ケース
４  支持板
５  保持部
６  加圧軸
７  板ばね
８  乾燥マット
９  加圧ケージ
１２  板ばね受板
３２  台座
３３  頂部屈曲部
３４  化粧見切縁
３６  側板
３８  保持ケース底部
４２  化粧ナット
４４  ノックピン受穴
５２  ガイド
５３  固定板
５４  可動板
５５  ノックピン
５６  ガイド長孔
５７  皿ビス
５８  つまみ
６２  割ピン
６３  割ピン
８２  中板
９２  円柱状体
９３  頂部
９４  台部
９６  リング
【図１】
2005036326.tif 000003
【図２】
2005036326.tif 000004
【図３】
2005036326.tif 000005
【図４】
2005036326.tif 000006